Podtech/llm-jp-corpus-v4-ja_patent huggingface dataset:
(57)【要約】      （修正有）【課題】熱伝導によって熱を誘導する従来の冷却装置のヒートシンクでは、発熱源により近い吸熱部の温度が、放熱部の温度より低くはならないため、吸排熱効率の向上に関して、構造的な限界がある。【解決手段】熱を伝達する媒体として水等の液体を用い、当該冷却水が気化する際に周囲の熱を奪う性質によって吸熱し、冷却水の分子が気化して蒸散することによって瞬時に熱を放熱部全体へ運び、凝結する際に熱を放出する性質によって排熱する。また、冷却水を入れた装置を低圧状態で密閉しておくことで、冷却水の沸点を低く抑えて気化を促しつつ、気化した冷却水を回収しながら上記のサイクルを永久循環させる。【選択図】図１
2006098036.tif 000002
【特許請求の範囲】
【請求項１】
内部を低圧状態にした密閉容器の中に閉じ込めた水等の液体（以下、「冷却水」という。）が、  容器内で沸騰、気化する際に発熱源から発せられる熱を吸収し、  気化して拡散した蒸気が容器内壁で結露する際に外気へ放熱し、  結露した水が水滴となって落下して還流する、という循環プロセスによって、動力機関や電子回路等その運転中に余剰な発熱を伴い冷却を要する装置類（以下、「被冷却物」という。）を冷却する機構および装置。
【発明の詳細な説明】
【技術分野】
【０００１】冷却装置の技術に関する。
【背景技術】
【０００２】従来の冷却装置のヒートシンクは、熱伝導によって熱を誘導し、外気へ排出する。
【発明の開示】
【発明が解決しようとする課題】
【０００３】吸排熱効率の良い冷却装置のヒートシンクを実現するためには、吸熱部で受けた熱をできるだけ多く放熱部に伝え、外気に排出する必要がある。しかし、熱伝導によって熱を誘導する従来のヒートシンクでは、発熱源により近い吸熱部の温度が、放熱部の温度より低くはならないため、吸排熱効率の向上に関して、構造的な限界がある。
【課題を解決するための手段】
【０００４】熱を伝達する媒体として水等の液体を用い、当該冷却水が気化する際に周囲の熱を奪う性質によって吸熱し、熱を保持した冷却水の分子が気化して蒸散することによって瞬時に熱を放熱部全体へ運び、凝結する際に熱を放出する性質によって排熱する。また、冷却水を入れた装置を低圧状態で密閉しておくことで、冷却水の沸点を低く抑えて気化を促しつつ、気化した冷却水を回収しながら上記のサイクルを永久循環させる。さらに、当該装置内部の気圧の変化に応じて冷却水の沸点が上下することで、カラ焚きを防止する。
【発明の効果】
【０００５】冷却水の分子が、熱を自身の運動エネルギーに変えて素早く持ち去る仕組みにより、効率よく冷却できる。【０００６】機構上、装置が軽量である。
【発明を実施するための最良の形態】
【０００７】図１に示すような真空容器に、少量の水のみを入れて密封すると、（１）の部分で周囲の熱を受けた水が蒸発し、蒸発した水分子は上昇して（２）の部分に移動し、（２）の部分で熱を放出した水分子が凝結して結露が起こる。これによって当該装置は（４）の発した熱を、（１）の部分で吸熱し、（２）の放熱部へ運び去り、冷却する。【０００８】当該装置の容器に用いる素材は、内部の気圧の変化によって変形しないよう、硬い素材を用いることが望ましい。【０００９】当該装置では、真空中に拡散した水分子が、図１の（２）の部分の内壁に触れて放熱する仕組みのため、（２）の部分の表面積は、できるだけ大きい方が望ましい。また、冷却水に沸点の低い物質を用いると、（２）の部分の面積を拡げるのと同様に、冷却効率の向上が期待できる。【００１０】図１の（４）の発する熱量が非常に大きい場合など、エネルギーを２次利用するために装置内に蒸気タービンを設置するなどしても差し支えない。
【実施例】
【００１１】図１の容器の一部を開口し、少量の水を入れて加熱、沸騰させる。【００１２】十分に沸騰し、容器内が水蒸気で満たされたら密封し、室温まで冷やすと当該装置が完成する。【００１３】室温まで冷やされることによって水蒸気が結露し、装置内部の気圧は急速に低下する。気圧が低下すると、やがて吸熱部に溜まった水が蒸発を始めるが、気化して膨張した水蒸気によってすぐに装置内部の気圧が上がり、蒸発を抑制する。そして、装置内部の気圧と温度が上昇すると、放熱部の内壁で水蒸気の結露が生じ、ふたたび気圧が下降する。【００１４】その後は、放熱部の内壁で水蒸気が熱を放出して結露する量に応じて、吸熱部の周囲で発生した熱を水が吸収して蒸発する。この永久循環サイクルによって、当該装置は、被冷却物の熱を吸収して放熱部から外気に排出する冷却装置としての機能を果たす。
【図面の簡単な説明】
【図１】冷却装置の断面図。
【図１】
2006098036.tif 000003
(57)【要約】      （修正有）【課題】内デッキカバーとスカートガードを締め付けるネジの突出防止の効果、および外観上でも優れた乗客コンベアの安全装置を提供する。【解決手段】内デッキカバー７とスカートガード６を備えた乗客コンベアにおいて、内デッキカバー７とスカートガード６を締め付けるネジ１２の緩みに伴う、ネジの突出防止のため、ネジ１２のネジ頭を覆った短辺にネジ１２を締め付ける孔１０Ａを設け、長辺にネジ１２を挿入する長孔１０Ｂを設け、さらに短辺の両端に内側に曲げたガイドレール１０Ｃを設け、両端のガイドレール間に挿入されたプレートを設けた不等辺の凹溝からなる安全装置１０を設けた構成。【選択図】図２
2006315853.tif 000002
【特許請求の範囲】
【請求項１】
無端状に連結されて移動するステップと、このステップの両側部に直立配置される欄干と、この欄干を構成するスカートガード、内デッキカバーおよび欄干パネル等を備えた乗客コンベアにおいて、基材体にスカートガードを固定するためスカートガードと内デッキカバーをトラスネジ、皿ネジ等の共ネジで締結する。このネジの緩み防止及び緩みによるネジ頭の突出防止のため、両端を内側に曲げたガイドレールを設けた短辺がネジ頭を覆い，ガイドレール間にガイドレールを押えるプレートを備え、長孔を設けた長辺を内デッキカバー下部よりスカートガードと内デッキカバーの間に挿入するよう不等辺の凹溝を設けた事を特徴とする乗客コンベアの安全装置。
【発明の詳細な説明】
【技術分野】
【０００１】  本発明は、エスカレータや電動道路等の乗客コンベアに係わり、特にステップ側部と欄干の間における事故防止用の安全装置に関する。
【背景技術】
【０００２】  スカートガードの設置するため、トラスネジ、皿ネジの共ネジで内デッキカバー側から締結されている。従来、この固定用ネジの緩み防止、ネジ頭の突出防止に対して、糊付アルミテープ等でネジ頭を被う構造や平成１５年１２月１日の出願番号２００３４３６１８２におけるネジカバー等でネジの突出事故を防止するようになっている。
【発明が解決しようとする課題】
【０００３】  上記従来技術は、安全装置の脱着に伴う反復貼付強度や美観の問題、またネジカバーについてはネジをはづす際、廻し過ぎによりカバーの弾性を失い修復に問題があり、安全性の維持と経時対応の面で改善を要するという課題があった。
【０００４】  本発明の目的は、ステップとスカートガード間における安全性の向上、美観および保全性にも優れた乗客コンベアの安全装置を提供することにある。
【課題を解決するための手段】
【０００５】  本発明は上記目的を達成するために、無端状に連結されて移動するステップと、このステップの両側部に直立配置される欄干と、この欄干を構成するスカートガード、内デッキカバーおよび欄干パネル等を備えた乗客コンベアにおいて、スカートガードを固定する基材体とスカートガードを挟み込んだ内デッキカバーの下辺に設けたネジ挿入部分に、ネジ頭を被う不等辺の凹溝を設け、短辺でネジ頭を覆い、長辺にはネジ挿入のため短辺よりも長い長孔を設け、さらに短辺の両端に内側に曲げたガイドレールを設け、ネジ軸の貫通孔を設けたプレートをガイドレール開に挿入し、ネジを締結することによりプレートがガイドレールを押し、内デッキカバーに密着させる構造を備えた安全装置を挿入する構成にしてある。
【０００６】  上記の構成は、ガイドレールを備えプレートを持った安全装置を内デッキカバーの下辺より挿入し、凹溝の長辺の長孔上部よりネジを挿入、仮締めし、安全装置を上部に移行させる。さらにネジ頭を被う短辺に設けたネジ頭径より小さな穴より本締めし安全装置を装着する構成であるので、スカートガードの取り付け強度が高く、かつスカートガードの脱着作業も極めて容易となり、ネジを引抜するまでは安全装置の長孔にネジ軸が挿入されている状態にあり、さらにネジを引き抜いても安全装置の凹溝のバネ効果によって内デッキの下辺を挟み込む状態と成り、安全装置自体の脱落が無く、さらに安全装置を離脱させる際、ネジを緩め過ぎて、安全装置の凹溝が開いた状態でも、安全装置を装着する際ガイドレール内のプレートをネジ締めにより押す為凹溝が修復され安全装置と内デッキカバーが密着され、かつ安全装置の外観も傷める事がなく美観も損なわない利点を有する。
【発明を実施するための最良の形態】
【０００７】  以下、本発明の乗客コンベアの安全装置の一実施形態を図に基づいて説明する。
図１は本発明による乗客コンベアとその安全装置を示す斜視図、図２は図１におけるＭ−Ｍ線に沿う断面図である。図３は安全装置の斜視図、図４は図３におけるＮ−Ｎ線に沿う断面図である。図において、エスカレータ式の乗客コンベア１は、下階２から上階（図示省略）にかけて設置され、乗降口３から他の乗降口（図示省略）にかけて無端状に連結されて移動するステップ４と、このステップ４の両側部に直立配置される欄干５と、この欄干５を構成するスカートガード６、内デッキカバー７、欄干パネル８、ハンドレール９等を備えている。このスカートガード６と内デッキカバー７を留めているネジ１２の緩みによるネジ頭の突出を防止するため、短辺にドライバーの先端が差し込める１０Ａの孔を設け、長辺にネジ１２が短辺に触れないで挿入出来る長孔１０Ｂを設け、さらに短辺の両端に内側に曲げたガイドレール１０Ｃを設け、両端のガイドレール間に挿入されたプレート１１を設けた、不等辺の凹溝状の安全装置１０をスカートガード６と内デッキカバー７との間に、内デッキカバー７の下部より挿入し、ネジ１２を長孔１０Ｂ上部より挿入し、仮締めし、安全装置１０を上部に移動し、孔１０Ａをネジ１２の中心に合せ、本締め固定する。なお短辺のは図４、図５に図示されている様に、ネジ１２を覆っているので、乗客の履物、衣服等の引っ掛り事故に対し安全である。さらに、エスカレータ点検時に、スカートガード６をはづす必要がある。この場合ネジの緩め過ぎによる安全装置の凹溝が開く変形がおきても、装着の際ガイドレール１０Ｃとプレート１１により変形を修復する事が出来る為、点検作業においても有効である。
【発明の効果】
【０００８】  以上説明したように本発明によれば、内デッキカバーとスカートガードを締め付けるネジの突出防止の効果、および外観上でも優れた乗客コンベアの安全装置を得ることができる。
【図面の簡単な説明】
【図１】本発明による乗客コンベアとその安全装置をしめす斜視図である。
【図２】図１のＭ−Ｍ線に沿う断面図である。
【図３】本発明による安全装置の斜視図である。
【図４】図３のＮ−Ｎ線に沿うトラスネジ使用の断面図である。
【図５】図３のＮ−Ｎ線に沿う皿ネジ使用の断面図である。
【符号の説明】
１…乗客コンベア、３…乗降口、４…ステップ、５…欄干
６…スカートガード、７…内デッキカバー、８…欄干パネル
９…ハンドレール、１０…安全装置、１１…プレート、１２…ネジ
１０Ａ…短辺の孔、１０Ｂ…長辺の長孔、１０Ｃ…短辺両端のガイドレール
【図１】
2006315853.tif 000003
【図２】
2006315853.tif 000004
【図３】
2006315853.tif 000005
【図４】
2006315853.tif 000006
【図５】
2006315853.tif 000007
(57)【要約】【課題】辞典において、巨大語群の占める頁の位置とその幅を、頁を繰ること無く外部から見ることで知ることを課題とする。【解決手段】    辞典いおいて、巨大語群の占める頁の小口に設け、それにより巨大語群の位置と頁幅を表示するようにした爪を提供することをもって解決手段とする。【選択図】図２
2006315380.tif 000002
【特許請求の範囲】
【請求項１】
辞典いおいて、巨大語群の占める頁の小口に設け、それにより巨大語群の位置と頁幅を表示するようにした爪。
【発明の詳細な説明】
【技術分野】
【０００１】  本発明は、辞典類の巨大語群を示す爪に関するものである。
【背景技術】
【０００２】  従来の爪は辞典の小口に、通常左肩下がりに表示され、その数は１０個で、  ぞれぞれ「あ」，「か」、「さ」、「た」、「な」、「は」、「ま」、「や」、「ら」、「わ」の各行に対応し、各行の位置およびそれらの占める頁の幅を示していた。
【発明の開示】
【発明が解決しようとする課題】
【０００３】  そのために、次のような問題点があった。ある言葉を引くとき、その言葉がすぐ出なくて、苛苛させられることである。たとえば「こえ（声）」を引こうとする。まず小口で「か」行爪をパラパラ繰り「こ」の頁群を探す。たまたま「こう」の頁が出た。「こえ」の「え」は、「こう」の「う」の次の文字である。“近いな、「え」は次の頁かな”と思う。慎重に次の頁を繰る。だが「こう」である。“ではもう一枚先か”と繰る。また「こう」である。この段階ではパラパラはやりにくい。近いのであるから不用意にパラパラをするとたちまち行き過ぎるおそれがあるからである。しかたなく慎重に繰る。と相変わらず「こう」である。すこし大げさに言うと、繰れども繰れども「こう」という感じである。苛立ちが生じてくる。
この現象の依って来たる原因を推測するに、「こう」を頭に戴く見出し語の数が多く、一種の語群を成し、その占める頁数が多いために起きるのではないかと考えられる。そこで手許の国語辞典携帯版について語群の実態を調査した。結果が次の表である。順位と語群の名およびその占める頁数を示す。
順位語群頁数    順位語群頁数      順位語群頁数      順位語群頁数    順位語群頁数
１０しゅう１４    ２０てん  １０    ３０きゅう７    ４０はつ  ６
１こう  ２７    １１せい  １４    ２１はん  １０    ３１ゆう  ７    ４１ひと  ６
２しょう２４    １２そう  １３    ２２いつ    ９    ３２よう  ７    ４２ほん  ６
３かん  １８    １３ほう  １２    ２３けい    ９    ３３いち  ６
４たい  １８    １４きょう１１    ２４さん    ９    ３４いん  ６
５しん  １７    １５さん  １１    ２５たん    ９    ３５えん  ６
６かい  １６    １６しつ  １１    ２６きん    ８    ３６かつ  ６
７せん  １６    １７しゆ  １１    ２７はい    ８    ３７こん  ６
８けん  １５    １８しよ  １１    ２８おお    ７    ３８すい  ６
９とう  １５    １９しや  １０    ２９かく    ７    ３９てい  ６
この調査結果によると、「こう」を頭に戴く見出し語の占める頁数は実に２７頁にも及ぶ。「こう」のつく見出し語は「巨大語群」を形成していたのである。上述した苛苛の原因は、推測のとおりその占める頁数の多さにあったのである。
このような頁を多く占める巨大語群は、調査により他にも多くあることが分かった。それが、それぞれのところで似た苛立ちを起こさせていたのである。これは頻繁に辞典を引く人にとって、また急いで辞典を引くときには大きい障害なのである。これに対し辞典はなんらの対処をしていない。これが従来の辞典の大欠陥である。
本発明は、この問題点を解決するためになされたものである。
【課題を解決するための手段】
【０００４】  本発明は，巨大語群の位置およびその占める頁の幅を示す爪を提供する。
辞典を引く上で感じる苛苛感の原因の一つは、巨大語群にあることが、その存在を発見し、その全容を確認することにより明らかになった。原因が分かればその対策は簡単である。巨大語群の存在を外部から見えるようにすればよい。巨大語群ごとに爪を設ける。
この爪を小爪と仮称する。従来からの行を示す行爪と説明上混同を避ける趣旨からである。
【発明の効果】
【０００５】  本発明においては、小爪により巨大語群の占める頁の位置と幅を示す。すなわち巨大語群の所在個所は外部から見えているから、それを求めるときは早く入れるし、避けることも容易である。また上述した「こえ（声）」を引く場合のように、間違って入ってしまったときでも即座に脱出できる。これは境界が、これまでのようにパラパラ繰って知るのではなく、外から見えているから出来ることである。苛苛感は最早なく、爽快感すらある。発明の効果は著しい。
【発明を実施するための最良の形態】
【０００６】  以下、本発明の実施の形態について説明する。
図１は従来の国語辞典の小口である。比較のため掲載したもので、行を表わす行爪が左肩下がりに表わされている。図２は本発明の一実施例である。図１で示した従来の行爪の下部に小爪を付加した形をとっており、行爪と子爪の関係を明らかにし、本発明の全容を表わしている。
小爪を行爪から離して設置することも可能である。
図２では、手許にある国語辞典携帯版における巨大語群のうち上位の５群についてその小爪を表示した。５群に絞ったのは図の煩雑を避けるためである。
実施にあたっては群の数は増える。いくつの巨大語群に子爪をつけるかは編集方針によって決定される。
小爪をつける巨大語群の数を多く設定すると小爪の数も増加する。相互に区別がつかなくなるおそれが出てくるが、対策として隣り合う小爪の色彩を変えるとか、行爪で行っているような左肩下がりの配置にするなどで解決できる。
【図面の簡単な説明】
【０００７】
【図１】  国語辞典携帯版の小口の行爪を示す概念図。
【図２】  国語辞典携帯版の小口の行爪と小爪との関連を示す概念図。
【符号の説明】
【０００８】        １  辞典の小口
２  「あ」行の爪
３  「か」行の爪
４  「さ」行の爪
５  「た」行の爪
６  「な」行の爪
７  「は」行の爪
８  「ま」行の爪
９  「や」行の爪
１０  「ら」行の爪
１１  「わ」行の爪
１２  「かん」の小爪
１３  「こう」の小爪
１４  「しょう」の小爪
１５  「しん」の小爪
１６  「たい」の小爪
【図１】
2006315380.tif 000003
【図２】
2006315380.tif 000004
(57)【要約】【課題】  葉書使用時に葉書裏面を汚損、水濡れ等から守るビニールシートカバー付き葉書を提供する。【解決手段】  葉書裏面の書き込み箇所を覆える形状で全面に粘着剤を設け、シール状にした透けて見えるビニールシートを葉書裏面に上から貼り付けて使用し汚損、水濡れから保護することを特徴とするビニールシートカバー付き葉書。【選択図】  図１
2006315381.tif 000002
【特許請求の範囲】
【請求項１】
葉書裏面の書き込み箇所を覆える形状で全面に粘着剤を設け、保護フィルムで剥離可能なシール状にした透けて見えるビニールシートを上から貼り付けて使用し汚損、水濡れから保護することができるように葉書裏面のいずれか１辺周淵に固着したことを特徴とするビニールシートカバー付き葉書。
【請求項２】
葉書と同一形状で全面に粘着剤を設け、保護フィルムで剥離可能なシール状にした透けて見えるビニールシートを上から貼り付けて使用し汚損、水濡れから保護することができるように葉書裏面のいずれか１辺周淵に固着したことを特徴とするビニールシートカバー付き葉書。
【発明の詳細な説明】
【技術分野】
【０００１】  本発明は、葉書使用時に葉書裏面を汚損、水濡れ等から守るビニールシートカバー付き葉書に関するものである。
【背景技術】
【０００２】  従来の葉書は使用時に葉書裏面をむき出しの状態であった為、配達されるまでに汚損されたり、配達時の天候により雨等に濡れることがあった。
【発明の開示】
【発明が解決しようとする課題】
【０００３】  その為に、次のような問題点があった。
配達される際に葉書が汚損していたり、濡れていることがあり、特に墨や水性インク等の水に流れやすいもので書かれた葉書は内容が読めないなど、葉書としての意味が損なわれてしまうことがあった。
本発明は以上の問題点を解決しようとするものである。
【課題を解決するための手段】
【０００４】  葉書裏面の書き込み箇所を覆える形状で全面に粘着剤を設け、シール状にした透けて見えるビニールシートを葉書裏面に上から貼り付けて使用し汚損、水濡れから保護する。以上を特徴とするビニールシートカバー付き葉書である。
【発明の効果】
【０００５】  本発明は、葉書を使用する際にビニールシートでカバーする為、配達される時も汚損や水濡れから葉書裏面を守ることができる。
【発明を実施するための最良の形態】
【０００６】  以下、本発明の実施の形態を説明する。
（イ）葉書（１）上淵のビニールシート固着部（２）に葉書と同形状の透明なビニールシート（３）を接着させ固定する。
（ロ）ビニールシート（３）の葉書裏面（４）側に粘着剤（５）を設けそれを保護フィルム（６）で覆いシール状になっている。
本発明は、以上の構成よりなっている。
本発明を使用するときは宛名と葉書裏面（４）を記入し保護フィルム（６）を剥がしたビニールシート（３）を葉書裏面（４）に貼り付けポストに投函する。この結果、配達時に葉書（１）を汚損、水濡れから守ることができる。
【実施例１】
【０００７】  ビニールシート（３）は角を丸くしたり、淵を波線にしたり形をアレンジすることもでき、ビニールシート（３）自体を文字が読める程度に色の付いた透明な物にする等、単に葉書裏面（４）を保護するだけでなく葉書を飾り付けるように使用することもできる。
【図面の簡単な説明】
【０００８】
【図１】  本発明の斜視図
【図２】  本発明の側面図
【図３】  本発明のその他の実施例の斜視図
【符号の説明】
【０００９】１  葉書
２  ビニールシート固着部
３  ビニールシート
４  葉書裏面
５  粘着剤
６  保護フィルム
【図１】
2006315381.tif 000003
【図２】
2006315381.tif 000004
【図３】
2006315381.tif 000005
(57)【要約】【課題】  本発明は、薄板となる鋸身の振れや曲がりを抑え、切れ味も良く安定した切断作業が行えるよう、鋸身の後部に取っ手横Ｏ字状環部を設け、ゴムグリップが切断時の振動を吸収する薄板鋸身一体型鋸を得る。【解決手段】  長手方向に鋸刃を付けた薄板鋸身の後部に取っ手横Ｏ字状環部を形成し、その取っ手横Ｏ字状環部の上部から下方後部にかけ複数のグリップ取付孔設け、弾性となるゴムグリップを締着ネジで取り付けた。【選択図】  図１
2006315383.tif 000002
【特許請求の範囲】
【請求項１】
長手方向に鋸刃を付けた薄板鋸身の後部に取っ手横Ｏ字状環部を形成し、その取っ手横Ｏ字状環部の上部から下方後部にかけ複数のグリップ取付孔設け、弾性となるゴムグリップを締着ネジで取り付けたことを特徴とする薄板鋸身一体型鋸。
【請求項２】
前記薄板鋸身に取っ手横Ｏ字状環部を設けたことにより、鋸身の振れや曲がりを抑え安定した切断作業が行える請求項１記載の薄板鋸身一体型鋸。
【請求項３】
前記ゴムグリップが切断時の振動を吸収する請求項１記載の薄板鋸身一体型鋸。
【請求項４】
前記取っ手横Ｏ字状環部とゴムグリップの形状が任意である請求項１記載の薄板鋸身一体型鋸。
【発明の詳細な説明】
【技術分野】
【０００１】  本発明は、薄板鋸身一体型鋸に関する。
【背景技術】
【０００２】
【特許文献１】      特願２００２−２５２０４６      特開２００４−５８６３７
【発明の開示】
【発明が解決しようとする課題】
【０００３】    従来、鋸において細かな切断部分や、切れ味を追求するため薄板となる鋸身を用いられて来たが、薄板のため切断時に鋸身の振れや曲がりで使用し難い問題があった。【０００４】    本発明は、薄板となる鋸身の振れや曲がりを抑え、切れ味も良く安定した切断作業が行えるよう、鋸身の後部に取っ手横Ｏ字状環部を設け、ゴムグリップが切断時の振動を吸収する薄板鋸身一体型鋸の提供を目的とするものである。
【課題を解決するための手段】
【０００５】    前記の課題を達成するため、長手方向に鋸刃を付けた薄板鋸身の後部に取っ手横Ｏ字状環部を形成し、その取っ手横Ｏ字状環部の上部から下方後部にかけ複数のグリップ取付孔設け、弾性となるゴムグリップを締着ネジで取り付けた手段を講ずる。【０００６】    また、薄板鋸身に取っ手横Ｏ字状環部を設けたことにより、鋸身の振れや曲がりを抑え安定した切断作業が行えるようにしている。【０００７】    また、ゴムグリップが切断時の振動を吸収するようにしている。【０００８】    さらに、取っ手横Ｏ字状環部とゴムグリップの形状が任意であることが好ましい。
【発明の効果】
【０００９】    本発明の薄板鋸身一体型鋸において、薄板となる鋸身の振れや曲がりを抑え、切れ味も良く安定した切断作業が行えるよう、鋸身の後部に取っ手横Ｏ字状環部を設けた。
【発明の実施するための最良の形態】
【００１０】    以下、本発明の実施の形態にもとづき図面を参照して説明する。
【００１１】    図１〜図２に示す実施例では、長手方向に鋸刃１を付けた薄板鋸身２の後部に取っ手横Ｏ字状環部３を形成し、その取っ手横Ｏ字状環部３の上部から下方後部にかけ複数のグリップ取付孔４設け、弾性となるゴムグリップ５を締着ネジ６で取り付けている。
【００１２】    そして、薄板鋸身２に取っ手横Ｏ字状環部３を設けたことにより、鋸身の振れや曲がりを抑え安定した切断作業が行えるものである。
【００１３】    また、ゴムグリップ５が切断時の振動を吸収するようにしている。
【００１４】    さらに、取っ手横Ｏ字状環部とゴムグリップの形状が任意でもよいものである。
【図面の簡単な説明】
【００１５】
【図１】  本発明の実施例を示す斜視図である。
【図２】  本発明の一体型の鋸身を示す側面図である。
【図３】  形状が任意を示す一体型の鋸身の側面図である。
【符号の説明】
【００１６】１  鋸刃
２  薄板鋸身
３  取っ手横Ｏ字状環部
４  グリップ取付孔
５  ゴムグリップ
６  締着ネジ
【図１】
2006315383.tif 000003
【図２】
2006315383.tif 000004
【図３】
2006315383.tif 000005
(57)【要約】      （修正有）【課題】従来は、ペンとスタンドは別々であった。また、使用後ペンのキャップが見つからず不便であった。そこでスタンドの横棒にペンをぶら下げたペン一体型スタンドを提供する。【解決手段】スタンドの横棒１にペンのキャップの側についたフック２を装着し、ペン一体型スタンドにしたもので、キャップからペンをはずした状態では、キャップの先頭部分３の重みでキャップが回転して逆立ちし、キャップのペン挿入口が上方となりペンが装着しやすくなる。そして、ペンを装着するとぺんの重みで回転し、ペンがぶら下がった状態となる。【選択図】図１
2006315309.tif 000002
【特許請求の範囲】
【請求項１】
スタンドの横棒にペンをぶら下げたペン一体型スタンド。
【発明の詳細な説明】
【技術分野】
【０００１】
この発明は、スタンドの横棒にペンをぶら下げたペン一体型スタンドに関するものである。
【背景技術】
【０００２】
従来は、ペンとスタンドは別々であった。
【発明の開示】
【発明が解決しようとする課題】
【０００３】
解決しようとする問題点は、いままでは、使用後ペンのキャップが見つからず不便な場合が多かった。本発明は、そのような欠点をなくすためになされたものである。
【課題を解決するための手段】
【０００４】
本発明は、スタンドの横棒にペンをぶら下げることを特徴とする。
【発明の効果】
【０００５】
スタンドの横棒にペンをぶら下げることにより、片手でキャップの脱着ができ、キャップの紛失も防げる。誰にでも使いやすいユニバーサルデザインとなる。また、ペンは取り外しができるので差し替えることができる。
【発明を実施するための最良の形態】
【０００６】
以下、本発明の実施例について説明する。スタンドの横棒１に、ペンのキャップの側についたフック２を装着する。ペンを抜いたとき、キャップの先頭部分３の重みで逆立ちし、使用後装着しやすくなる。そして使用後キャップをすると元の位置に戻る。
【図面の簡単な説明】
【０００７】
【図１】本発明の斜視図である。
【図２】本発明のペンを抜くときの側面図である。
【図３】本発明のペンを装着するときの側面図である。
【符号の説明】
【０００８】
１    スタンドの横棒
２    キャップのフック
３    キャップの先頭部分
【図１】
2006315309.tif 000003
【図２】
2006315309.tif 000004
【図３】
2006315309.tif 000005
(57)【要約】 【課題】従来、ペットボトル飲料などは、注ぎ口で液体と空気の入れ替えが安定せずに、脈動が発生しやすく、結果として液体が跳ね飛ぶなどの不都合が発生していた。これを防止す  るためには、注意してゆっくりと注ぐことや、コップなどの容器をボトルの口まで持ち上げるなどの作業が必要であった。しかるに、この発明の形状を有するペットボトルは、前記のように、注ぎの際に、このペットボトル上部の円周状のくぼみが水流と空気の入れ替えをスムーズに調節するから、２リットル等の比較的大量のペットボトル飲料水等の液体４を注ぐときに発生する脈動をなくし、飲料水等の安定した流れを確保し、周囲に水滴の飛散を完全に防止するものである【解決手段】ペットボトル上部の周壁の内側へくぼみを設ける。【選択図】図１
2006315716.tif 000002
【特許請求の範囲】
【請求項１】
ペットボトル上部の周壁の内側へくぼみを設けたことを特徴とするペットボトルの形状。
【発明の詳細な説明】
【技術分野】
【０００１】
この発明は、ペットボトルから液体を注ぐ際に、水流を調節し、安定した水流を確保し脈動を少なくする機能を持たせるため、ペットボトル上部の周壁の内側へ、くぼみを設けたペットボトルの形状に関する。
【背景技術】
【０００２】
従来、 ペットボトルから液体を注ぐ際には液体の脈動により水しぶきが散乱しないように、注意してゆっくりと注ぐことや、コップなどの容器をペットボトルの口まで持ち上げて液体を注ぐなどの作業が必要であった。
【発明の開示】
【発明が解決しようとする課題】
【０００３】
そのために、次のような欠点があった。
（イ）脈動を防止するために、ペットボトルから流出する液体の速度を制限する必要があり沢山の液体を注ぐ際には時間がかかるというような煩わしさがあった。
（ロ）力のない老人や子供は片手でペットボトルを把持できず 注ぎ口までコップをもっていく事が困難であり周囲に液体の飛沫を散乱させてしまうことがあった。  
そこで、本発明は、液体を注ぐ際の脈動が少ないペットボトルを提供することを課題とする。
【課題を解決するための手段】
【０００４】
以上の課題を解決するために、ペットボトル（１）の上部の周壁の内側へ、適度の大きさ、長さのくぼみ（２）を設けたことを特徴とするペットボトルである。
【発明の効果】
【０００５】
この発明によれば、液体を注ぐ際に、周壁のくぼみが液体と空気の入れ替えをスムーズに調節するため、２リットル等の比較的大量のペットボトルの液体を注ぐときに発生する脈動を少なくし、液体の安定した流れを確保し、周囲に水滴が飛散するのを少なくするものである。
【発明を実施するための最良の形態】
【０００６】
この発明の一実施形態を、図１に示す。
ペットボトル（１）の上部の周壁（３）の適当な位置に適度な深さを有し、かつ適度な形を有するくぼみ（２）を設ける。    
【０００７】
「実施形態の効果」
この実施形態によれば、上記のくぼみ（２）がペットボトル（１）から流出する液体の速度を安定させ、また空気と液体の入れ替えを安定的に制御することで２リットル等のペットボトルから液体を注ぐときに発生する脈動を少なくし、安定した液体の流れを確保するものである。本発明は以上のような構造でこれを使用するときは、他のペットボトルを使用するときと同じくペットボトルを傾け液体を流出するが、液体の安定した流れのため脈動が少なく周囲に水滴が飛散しにくい。
【０００８】
「他の実施形態」
図１の実施形態では、くぼみの個数は一つでペットボトル上部の周壁の内側へ設けられていたが、他の実施形態では、くぼみは複数でも良く、またその最良の形状と位置と深さはペットボトル本体の形状によりそれぞれ微妙に異なる。
【図面の簡単な説明】
【０００９】
【図１】この発明の一実施形態を示す斜視図である。
【図２】この発明の一実施形態を示す正面図である。
【図３】この発明の一実施形態を示す側面図である
【符号の説明】
【００１０】
１  ペットボトル      ２  くぼみ
３  周壁              ４  注ぎ口
【図１】
2006315716.tif 000003
【図２】
2006315716.tif 000004
【図３】
2006315716.tif 000005
(57)【要約】【目的】  記録用紙幅が異なる各種のロール紙に用いるスペーサーを減らすことのできるロール紙ホルダを提供することを目的とする。【構成】  本発明のロール紙ホルダは、ロール紙の中心部に設けられた紙管に挿通される保持軸と、この保持軸の端部に紙送り出しのための動力を伝達される歯車とロール紙の側面をガイドするためのフランジが形成されており、保持軸の反対側の端部にはスライド自在に取り付けられて前記保持軸に対して着脱自在であるガイド体とを有し、前記ガイド体は、前記保持軸にスライド自在に嵌合された軸穴部と、前記軸穴部に弾性部材を前記保持軸に対して任意のスライド位置で固定することができるように構成した。【選択図】        図１
2006315791.tif 000002
【特許請求の範囲】
【請求項１】
ロール紙の中心部に設けられた紙管に挿通される保持軸と、この保持軸の端部に紙送り出しのための動力を伝達される歯車とロール紙の側面をガイドするためのフランジが形成されており、保持軸の反対側の端部にはスライド自在に取り付けられて前記保持軸に対して着脱自在であるガイド体とを有し、前記ガイド体は、前記保持軸にスライド自在に嵌合された軸穴部と、前記軸穴部に弾性部材を前記保持軸に対して任意のスライド位置で固定することができるように構成したことを特徴とするロール紙ホルダ。
【発明の詳細な説明】
【技術分野】
【０００１】
本発明は、紙幅が異なる各種のロール紙を保持することができるロール紙ホルダに関する。
【背景技術】
【０００２】
従来、ロール紙をプリンタにセットする場合には、ロール紙をロール紙ホルダで保持した後にセットしている。
このロール紙は、紙管の周りに記録用紙を巻き付けることにより形成されている。
ロール紙ホルダは、紙管に挿通される保持軸と、保持軸の一端側に固定された円盤状の固定ガイド板と、保持軸の他端側に着脱自在に取り付けられた円盤状のガイド板とを備えている。
【特許文献１】特開２００１−３１０８４５号公報
【発明の開示】
【発明が解決しようとする課題】
【０００３】
フォトプリンタでは、記録用紙幅がＤＳＣサイズ、Ｌ判サイズ、ポストカードサイズ、２Ｌ判サイズなどがあり、それぞれの紙とリボンを装着しなければならない。一台のプリンタでそれぞれのサイズの印刷を可能とするためには、用紙ホルダーは最大幅の記録用紙が装着できるようにしておき、紙管は共通の幅で中心部に記録用紙が巻き付けられており、幅の狭い記録用紙を使用する際はロール紙の両側にスペーサーを装着してロール紙を保持するようにしている。
このスペーサーは最大記録紙幅を除いて使用する記録用紙のサイズ毎に必要となるため、紛失したり、保管場所のスペースがいるという不具合がある。
【０００４】
そこで本発明は、記録用紙幅が異なる各種のロール紙に用いるスペーサーを減らすことのできるロール紙ホルダを提供することを目的とする。
【課題を解決するための手段】
【０００５】
本発明のロール紙ホルダは、ロール紙の中心部に設けられた紙管に挿通される保持軸と、この保持軸の端部に紙送り出しのための動力を伝達される歯車とロール紙の側面をガイドするためのフランジが形成されており、保持軸の反対側の端部にはスライド自在に取り付けられて前記保持軸に対して着脱自在であるガイド体とを有し、前記ガイド体は、前記保持軸にスライド自在に嵌合された軸穴部と、前記軸穴部に弾性部材を前記保持軸に対して任意のスライド位置で固定することができるように構成した。
【発明の効果】
【０００６】
本発明のロール紙ホルダによれば、従来必要だったスペーサの数を半減できるので、紛失したりすることも少なくなり、また、スペーサの置き場所も少なくなる。
【発明を実施するための最良の形態】
【０００７】
本発明の一実施の形態を図１ないし図３に基づいて説明する。図１はロール紙３０を保持するロール紙ホルダの全体構造を示す斜視図であり、保持されるロール紙３０は、その中心部の紙管３２に記録紙が巻き付けられている。
ロール紙ホルダ１０は、紙管３１に挿通される保持軸１２と、この保持軸１２の一端にはフランジ形状のガイド板１０と、紙管３１と嵌合する軸部１１が形成されている。ガイド板１０の外面には歯車が形成されており、プリンタ本体側からこの歯車に動力を伝達されロール紙をプリンタへ送り出すことができる。
ロール紙３０を着脱自在に保持、ガイドするためのフランジ形状のスライドガイド板４０には、紙管３１と嵌合する軸部４１とロール紙ホルダ１０の保持軸１２に挿通される軸穴４２が形成されている。
【０００８】
スライドガイド板４０は、保持軸１２にスライド自在に嵌合され、その位置を保持するための板バネ５０が切り欠きの設けられた軸穴４２中に設けられている。板バネ５０は端部が凸に曲げられており、保持軸１２と摩擦接触している。
【０００９】
図２にはロール紙３３の幅が最大の時のロール紙ホルダの構成を示している。
ロール紙幅が最大の時にはスペーサ２０は取り付けないで、直接ロール紙ホルダ１０のガイド板でロール紙３３の側面をガイドしている。
図１に示すようにロール紙幅が狭いときには、ロール紙ホルダ１０に円盤状のスペーサ２０をロール紙３０との間に挟み込んでスライドガイド板４０保持軸１２に挿通して、ロール紙３０を挟み込む方向にスライドガイド板４０をスライドしてロール紙３０をガイドして保持する。スペーサ２０はロール紙幅に応じてロール紙３０がロール紙ホルダの中心に収まるように設定されている。
【００１０】
スライドガイド板４０は任意の位置で保持させることができるので、ロール紙幅が異なっていても直接ロール紙の側面をガイドすることができる。
【００１１】
保持軸１２に使用するロール紙幅に合わせてスリット１２，１３を形成しておけば、スライドガイド板４０に取り付けられている板バネ５０がスリットの溝にはまり込んで、設定された位置でスライドガイド板４０を固定することができる。
複数のスリット１２，１３が形成されている場合にロール紙幅がスリット１３に適合している場合には、スライドガイド板４０をロール紙を挟み込む方向にスライドさせて、一旦板バネ５０がスリット１４にはまり込むが、更にスライドガイド板４０をスライドさせて板バネ５０がスリット１３にはまり込むまで押し込むとロール紙を適正な位置で保持することができる。
【図面の簡単な説明】
【００１２】
【図１】本発明に係る実施例におけるロール紙ホルダの全体構成を示す斜視図である。
【図２】本発明に係わる実施例におけるロール紙ホルダの最大幅のロール紙をセットするときの構成を示す斜視図である。
【図３】図１に示すＡ部の拡大図である。
【符号の説明】
【００１３】
１０  ロール紙ホルダ
１２  保持軸
１３，１４  スリット
２０  スペーサ
３０、３３  ロール紙
３１  紙管
４０  スライドガイド板
４２  軸穴
５０  板バネ
【図１】
2006315791.tif 000003
【図２】
2006315791.tif 000004
【図３】
2006315791.tif 000005
(57)【要約】      （修正有）【課題】  ＣＤやＤＶＤは専用のケースに保管するかアルバム状の物に入れるしかなく、その出し入れは、意外と時間がかかるものであり、ＣＤやＤＶＤの出し入れが簡単で傷つけずに保管できる収納ケースを提供する。【解決手段】  ＣＤステレオやＤＶＤプレイヤーと同じ様なトレー１を引き出しとし、何段も重ねることによって、ＣＤやＤＶＤケースを造る。このケースができることによって、きれいに保管することができ、かつ、出し入れがとても速くできる。【選択図】図１
2006315755.tif 000002
【特許請求の範囲】
【請求項１】
毎日聴かなければならないレッスン用のＣＤやＤＶＤ、また、お気に入りのＣＤやＤＶＤなど出し入れが楽にできるケースを提案したいと思います。
【発明の詳細な説明】
【技術分野】
【０００１】ＣＤやＤＶＤなど、レッスン用のものはとても多く、簡単に数えてみても、上の子の英検の練習用ＣＤ、英語塾のＣＤ、受験の単語のＣＤ、下の子のピアノ教室のＣＤとＤＶＤ、英語塾のＣＤとＤＶＤ、私自身の韓国語のレッスン用のＣＤが２枚など、毎日練習しなければならないＣＤやＤＶＤなど出し入れが頻繁なものがたくさんあります。それらの出し入れを円滑にするためのケースです。
【背景技術】
【０００２】従来は１枚ずつ、プラスチックケースに入れて保管するか、アルバム状になったケースに出し入れする方法などがあった。
【発明の開示】
【発明が解決しようとする課題】
【０００３】従来のように１枚ずつプラスチックケースに保管するのはＣＤやＤＶＤを傷つけないように管理するのには適していると思うが、その出し入れがケースを開いてＣＤやＤＶＤを取り出すのにとても時間がかかった。また、アルバム式の収納ケースも、ファスナーを開けどこにあるのか捜して取り出したり、しまうのに時間がかかった。たまに、見たり聴いたりするものはこの収納の方法でかまわないと思うのですが、最近では、語学やピアノなどレッスン用のＣＤやＤＶＤが増えて、子供たちに毎日聴かせてレッスンしなくてはいけないので、ＣＤやＤＶＤプレイヤーへの交換の数はとても多く、出し入れに時間がかかると聴く回数がだんだん減っていき、聴くことが上達の一歩である教科はＣＤやＤＶＤをＣＤステレオなどへのセットが簡単であることが不可決である。
【課題を解決するための手段】
【０００４】ＣＤやＤＶＤの収納や取り出しの時間を短縮するのに、ＣＤステレオなどのＣＤトレーを引き出しとして、何段にも重ねることで、ＣＤやＤＶＤの保管ケースを造ります。ＣＤトレーの引き出し面に常時見聴ききするＣＤやＤＶＤの名前を書き込みシールを貼って一目でわかるようにします。
【発明の効果】
【０００５】私自身のレッスンを入れると、ＣＤやＤＶＤの出し入れは、韓国語のＣＤが２枚に韓国ドラマのレッスン、上の子の英語塾のＣＤと英検のＣＤ、下の子の音楽教室のＣＤとＤＶＤ、英語教室のＣＤとＤＶＤ、それだけでも出し入れの枚数は８枚もあり、それを毎日こなすのは大変なのに、その上、ＣＤプレイヤーなどのセット交換が容易でないと、レッスン数はだんだん減ってきてしまいます。ＣＤやＤＶＤの保管ケースの出し入れが簡単になることによって、毎日子供たちに聴かせなければならない英語や音楽などのＣＤ、ＤＶＤの取り替えがスムーズにいき、面倒ぐさがられなで聴かせることができ、順調に毎日のレッスンが進みます。また、勉強中に発音がわからないと思ったその時にすぐＣＤをＣＤプレイヤーにセットできることがとても大切なので、本発明により解決することができます。
【実施例】
【０００６】ＣＤプレイヤーにＣＤをセットするとき、今まで入っていたＣＤを本発明の決まった引き出しに入れ、次に聴くＣＤトレー引き出しからＣＤを取り出し、ＣＤプレイヤーにセットする。
【図面の簡単な説明】
【０００７】
【図１】本発明の立体図である。
【図２】本発明で使用するＣＤ、ＤＶＤトレーを真上から見た図である。
【図３】本発明の正面から見た一段分の断面図である。
【図４】本発明の真横から見た一段分の断面図である。
【図５】埃よけの蓋をした時の図である。
【符号の説明】
【０００８】１  ＣＤまたはＤＶＤトレー
２  ＣＤまたはＤＶＤの名前シール
３  ＣＤまたはＤＶＤトレーの引き出しつまみ
４  ＣＤまたはＤＶＤトレーが保管箱から抜け落ちないための折り型部分
５  ＣＤ、ＤＶＤのボックス側面
６  ＣＤ
７  トレー落下防止のボッチ
８  埃よけのカバー
【図１】
2006315755.tif 000003
【図２】
2006315755.tif 000004
【図３】
2006315755.tif 000005
【図４】
2006315755.tif 000006
【図５】
2006315755.tif 000007
(57)【要約】【課題】家庭の冷凍室で簡便に冷却でき、使用する際はペットボトルに被せて日除けや保冷効果、または冷却効果を発揮する真夏のビーチやプールサイド向けのペットボトルカバーを提供する。【解決手段】ペットボトルのサイズに合わせてシートを切抜き、シート（１）の肩部分（２）と側面部分（３）を接合することにより出来上がる、底部を持たない筒状の形状を特徴とするペットボトルカバーである。冷却機能を持たせる場合はペットボトルと接触するカバー内側面に保冷材を接着や縫合等で装着する。使用に際しては、保冷材を装着した本発明品を冷凍室でマイナス温度に冷却してからペットボトルにかぶせることで強力な保冷効果および冷却効果を発揮する。収納性に関しては、１枚だけでも複数枚を束ねた場合でも、底面の無い平面的な構造であるため場所をとらず冷凍庫等で保管することができる。【選択図】  図１
2006315758.tif 000002
【特許請求の範囲】
【請求項１】
アルミシートやウレタンシートなど断熱効果を有するシートを２枚重ね合わせ、または１枚のシートを二つ折りにして、肩部分と側面部分を接合するだけの底面の無いペットボトルカバー。
【請求項２】
ペットボトルと接触する内側面に保冷材を装着した請求項１のペットボトルカバー。
【発明の詳細な説明】
【技術分野】
【０００１】この発明は主に夏季の海水浴場やプールサイド等の炎天下で、飲料水入りのペットボトルを保冷、または冷却することが出来るペットボトルカバーに関するものである。
【背景技術】
【０００２】一般的なペットボトルカバーは外側をナイロン生地や布等で、内側を断熱効果の高いウレタンやアルミシート等の素材で巾着の形状に作られ、内部は外部の熱気や日射から遮断される仕組みになっている。冷蔵庫で冷やされた飲料水をこれらのボトルカバーに収納することで飲料水の温度上昇を緩やかにすることができる。
【発明が解決しようとする課題】
【０００３】しかし一般的なペットボトルカバーには次のような限界点があった。ペットボトルを中に入れて手軽に携行できるサイズと軽さが求められるため、十分な保冷効果を発揮するだけの断熱材は使用できず、また通常ペットボトルカバー自体が常温状態で保管されており、そのため真夏の公園やプールサイド等で使用した場合、ペットボトルの中身はすぐに生ぬるい温度になってしまっていた。さらに海水浴場や公園などで直接地面に置くと、カバー底部に砂や汚れが付着してしまう欠点があった。本発明は従来のペットボトルカバーよりも安価且つ簡便に作ることができ、コンパクトに収納でき、高い保冷及び冷却効果を持つようになされたものである。
【課題を解決するための手段】
【０００４】適当な大きさのアルミ等のシートを２枚重ね合わせ、両肩部と両側面部を接着や縫合等で接合する。もしくは１枚のシートを二つ折りにし、片側の側面部と両肩部を接合する。これをペットボトルの頭部からかぶせて使うことでペットボトルの日除けとなり、保冷効果を発揮する。さらにペットボトルと接触するカバー内側面に保冷材を接着や縫合等で装着することで保冷だけでなく冷却装置としての機能を発揮する。カバーに用いるシートはアルミシートやウレタンシート等、断熱効果が高く、水洗いできる素材を使用する。
【発明の効果】
【０００５】シンプルな構造のため安価で量産でき、ビーチや屋外プールなどの炎天下で手軽に飲料の日除けと保冷が可能となった。保冷材を装着したタイプの場合は、冷凍室でマイナス温度に冷却してから使用することで強力な保冷および冷却が可能となった。このとき結露による周囲の水濡れなどの問題が考えられるが、本発明品は冷凍室で凍結された後、使用の際もクーラーボックス内に収納して持ち出され、海水浴場や屋外プールなどで取出して使われることを想定しているため多少の結露は発生するがこれを使用の際の問題点とはしていない。冷凍室などでの収納に関しては、底面がなく平面的な構造であるため１枚でも複数枚を束ねた場合でも場所をとらず収納性が高い。
【発明を実施するための最良の形態】
【０００６】ペットボトルのサイズに合わせて断熱シートを切抜き、シート（１）の肩部分（２）と側面部分（３）を接合する。ペットボトル（７）の頭部から被せて使用するため頭部（４）と底部（５）は開いたままとする。冷却機能を持たせる場合は内側面の適当な箇所に保冷材（６）を縫合や接着などで装着する。保冷材はペットボトルと効果的に接触でき、尚且つ収納時には薄く折りたたむことが障害にならない位置に装着する。保冷材についてはジェル状のものが適しているが、水であっても差し支えはない。形状は薄いシート状のものや細長い棒状のもの等、畳んだときの収納性と使用の際の実用性を兼ね備えたものを装着する。
【図面の簡単な説明】
【０００７】
【図１】本発明の使用中の斜視図である。
【図２】本発明の一部を切り開いた斜視図である。
【図３】肩部分をカットしたタイプの本発明の一部を切り開いた斜視図である。
【図４】保冷材を装着したタイプの本発明の一部を切り開いた斜視図である。
【符号の説明】
【０００８】１シート  ２肩部分  ３側面部分  ４頭部  ５底部  ６保冷材  ７ペットボトル
【図１】
2006315758.tif 000003
【図２】
2006315758.tif 000004
【図３】
2006315758.tif 000005
【図４】
2006315758.tif 000006
(57)【要約】      （修正有）【課題】容器中蓋の脱着操作を容易にする。【解決手段】  外蓋上部及び中蓋内側面に特殊な堤４を設け、これらを使用することで外蓋と中蓋との連結を自在にし、容器中蓋の脱着が従来より格段に容易となった。【選択図】図５
2006315757.tif 000002
【特許請求の範囲】
【請求項１】
溶剤用等、中蓋（インナーキャップ）の付いた容器の中蓋及び外蓋に堤（ホルダー）を設けることで、それらを一時的に連結させて中蓋の脱着を容易にし、且つ保持しておくことを可能にしたもの。
【発明の詳細な説明】
【特許の詳細な説明】
【技術分野】
【０００１】  本発明は容器の中蓋の脱着を容易にし、尚且つ外した中蓋を保持しておくことを可能にするものである。
【背景技術】
【０００２】  従来品は容器内の溶剤の揮発等を防ぐ効果のある中蓋と、強固な外蓋とがあるのみであった。
【発明が解決しようとする課題】
【０００３】  従来品では、中蓋を外す際に中蓋に付着した中身の溶剤等が指先に付着し安く、作業が困難であった。又外した後の中蓋の処置や、再び中蓋を閉める際にも同様の問題があった。そこでこれらの問題を解決すべく本発明がなされた。
【課題を解決するための手段】
【０００４】  外蓋上部に、中蓋中央の窪みに適合する円状の堤を設け、その外側の側面にＬ字型のスリットを設ける。更に中蓋中央の窪みの内側の側面に、外蓋のＬ字型スリットに沿ってスライドさせることの出来る形状の堤を設ける。これにより中蓋と外蓋との自在な連結を可能にした。
【発明を実施するための最良の形態】
【０００５】以下、本発明の実施の形態について説明する。
（イ）．従来品の容器の外蓋上部に円状の堤を設け、その外側の側面にＬ字型のスリットを設ける。更に中蓋中央の窪みの内側の側面に、外蓋のＬ字型スリットに沿ってスライドさせることの出来る形状の堤を設ける。又、中蓋の堤をスライドさせて連結が完了した際にその位置で安定するよう、Ｌ字型スリットの一部を隆起させる。
【発明の効果】
【０００６】  外蓋及び中蓋に施した各堤を使用することにより容器からの中蓋の脱着を容易にし、且つ外した中蓋を保持することが出来た。
【図面の簡単な説明】
【図１】  外蓋中蓋共に閉まった状態を示す図である。
【図２】  外蓋中蓋共に外した状態を示す図である。
【図３】  外蓋及び中蓋の各堤を使用して、容器本体に付いている中蓋と外蓋とを連結した状態を示す図である。
【図４】  外蓋及び中蓋の各堤を使用して外蓋と中蓋とを連結し、中蓋を保持している状態を示す図である。
【図５】  外蓋上部の円状の堤の構造を示す図である。
【図６】  中蓋内側面の堤の構造を示す図である。
【符号の説明】
１  容器本体
２  外蓋
３  中蓋（インナーキャップ）
４  外蓋上部の円状の堤
５  中蓋内側面の堤
６  外蓋のＬ字型スリット
７  Ｌ字型スリットの隆起部
【図１】
2006315757.tif 000003
【図２】
2006315757.tif 000004
【図３】
2006315757.tif 000005
【図４】
2006315757.tif 000006
【図５】
2006315757.tif 000007
【図６】
2006315757.tif 000008